(57)【要約】【課題】光源となる無電極放電ランプを点灯させるためのマイクロ波の漏洩を効果的に遮断することができ、かつ、光利用効率が高く、製造が容易でありながら、優れた信頼性及び耐久性を確保することができる照明装置を提供する。【解決手段】無電極放電ランプ２の光出射側に配置された第１のレンズアレイ３と、金属または金属を含む材料からなり複数の開口部６ａを有する電磁波遮蔽手段６と、第２のレンズアレイ４とが順次配置され、電磁波遮蔽手段６は、各開口部６ａにおいて第１のレンズアレイ３を透過した照明光を透過させるとともにこの照明光を第２のレンズアレイ４の各凸レンズ４ａに入射させる位置となされている。【選択図】図１
2005222837.tif 000002
【特許請求の範囲】
【請求項１】
無電極放電ランプと、
前記無電極放電ランプの光出射側に、第１微小レンズがアレイ状に配列された第１のレンズアレイと、
前記第１のレンズアレイの焦点近端部に、前記第１のレンズアレイの透過光の光束径よりも若干大きい開口部が前記第１微小レンズに応じて複数形成され、前記無電極放電ランプから発生する電磁波の漏洩を防止する電磁波遮蔽手段と、
前記電磁波遮蔽手段に密着して前記第１微小レンズに対応した第２微小レンズがアレイ状に配列された第２のレンズアレイと、
が順次配列されてなり、
前記電磁波遮蔽手段は、前記透過光が前記開口部を通過できるように位置決め配置されていることを特徴とする照明装置。
【発明の詳細な説明】
【技術分野】
【０００１】
本発明は、画像表示装置等において使用される照明装置に関する。
【背景技術】
【０００２】
従来、液晶表示デバイス等の空間光変調素子を用いた投射型の画像表示装置が提案されている。このような画像表示装置は、空間光変調素子を照明し、この照明光に対して空間光変調素子により画像信号に応じた光変調を与え、変調された照明光（変調光）をスクリーン上に拡大して投射することによって画像の表示を行う装置である。
【０００３】
このような画像表示装置においては、充分に光強度の高い照明光によって空間光変調素子を照明する必要があるため、空間光変調素子を照明する照明装置の光源として、メタルハライドランプやキセノンランプ等、高輝度の放電ランプが使用されることが多い。
【０００４】
また、このような画像表示装置の照明装置においては、光源から発せられた光束に含まれる互いに直交する方向の直線偏光成分（Ｓ偏光成分及びＰ偏光成分）のいずれをも照明光として使用できるようにして、光利用効率を高くしたものが提案されている。例えば、特許文献１及び特許文献２に記載されているように、光源から発せられた光束におけるＳ偏光成分及びＰ偏光成分のいずれか一方の波面を変換して他方の直線偏光成分の波面に合わせるＰＳコンバイナ（Ｐ波Ｓ波合成板）を備えた照明装置が提案されている。
【０００５】
さらに、このような画像表示装置の照明装置は、インテグレータを備えることにより、照明光の照度を均一化するように構成されている。
【０００６】
そして、このような画像表示装置においては、空間光変調素子やインテグレータの小型化及び高性能化等によって、表示画像の高輝度化及び高解像度化が図られ、また、装置構成の小型軽量化が図られている。
【０００７】
ところで、前述のようなメタルハライドランプやキセノンランプ等は、有電極放電ランプであり、放電による電極の消耗が生じるため、ランプの寿命が短いという問題がある。そのため、近年では、例えば、非特許文献１に記載されているように、前述のような照明装置の光源として、電極を有さない無電極放電ランプを使用することが検討されている。
【０００８】
無電極放電ランプを点灯させるにあたっては、マイクロ波が使用される。そのため、無電極放電ランプを点灯させるときには、マイクロ波の漏洩による人体及び周辺電子機器への影響を防止すべく、漏洩するマイクロ波を遮断するためのマイクロ波遮蔽手段が必要となる。このマイクロ波遮蔽手段としては、一般的には、光源の光出射面に設けられた金属製のメッシュ状部材（網状部材）が用いられている。
【０００９】
しかしながら、光出射面に金属製のメッシュ状部材を設けた場合には、以下のような不都合が生じる。
【００１０】
すなわち、マイクロ波の漏洩を効率良く遮断するためには、金属製のメッシュ状部材において金属部分が占める割合を大きくする必要があるため、このメッシュ状部材における開口部が小さくなる。そのため、このメッシュ状部材によって遮光されてしまう照明光の割合が増加し、光利用効率が低下してしまう。また、金属製のメッシュ状部材の金属部分で遮光される照明光が光源側に閉じ込められてしまうことにより、光源の温度上昇が招来されるという問題がある。
【００１１】
一方、光利用効率の向上を図るには、金属製のメッシュ状部材の金属部分が占める割合を小さくする必要がある。この場合には、漏洩するマイクロ波を遮断する効率が不十分となるという問題が生ずる。
【００１２】
そのため、従来の照明装置においては、例えば、特許文献３に記載されているように、電磁遮蔽手段の位置を調整することよって、インテグレータを構成する第２のレンズアレイの開口部を照明光が通過できるようにして、光利用効率を低下させないようにしている。
【特許文献１】特開平１０−３１９３５０号公報
【特許文献２】特開平８−３０４７３９号公報
【特許文献３】特開２００２−３４３１０３号公報
【非特許文献１】「月刊ディスプレイ」１９９９年１１月号（Ｐ．７０〜Ｐ．７１）
【発明の開示】
【発明が解決しようとする課題】
【００１３】
しかしながら、前述のような照明装置を備えた画像表示装置において、表示画像のいっそうの高解像度化を図り、また、装置構成の小型軽量化を図るにあたっては、電磁遮蔽手段として金属板や金属箔を用いていることは、以下のような不都合を招来することとなる。
【００１４】
すなわち、この場合には、インテグレータを構成する第２のレンズアレイにおいて照明光が透過する開口部と、電磁遮蔽手段における開口部とを、高精度に位置決めしなければならず、製造が困難となるとともに、信頼性及び耐久性の確保が困難となる。
【００１５】
また、特に、表示画像の高輝度化及び装置構成の小型化を図った場合には、これらインテグレータ及び電磁遮蔽手段の間の位置関係を高精度に位置決めしたとしても、これらインテグレータ及び電磁遮蔽手段に対する照明光の照射による温度上昇及び温度ムラが生じ、互いの位置関係に変動が生じてしまう虞れがある。
【００１６】
そこで、本発明は、前述のような問題に鑑みて提案されるものであり、光源となる無電極放電ランプを点灯させるためのマイクロ波の漏洩を効果的に遮断することができ、かつ、光利用効率が高く、製造が容易でありながら、優れた信頼性及び耐久性を確保することができる照明装置を提供しようとするものである。
【課題を解決するための手段】
【００１７】
前述の課題を解決するため、本発明に係る照明装置は、無電極放電ランプと、前記無電極放電ランプの光出射側に、第１微小レンズがアレイ状に配列された第１のレンズアレイと、前記第１のレンズアレイの焦点近端部に、前記第１のレンズアレイの透過光の光束径よりも若干大きい開口部が前記第１微小レンズに応じて複数形成され、前記無電極放電ランプから発生する電磁波の漏洩を防止する電磁波遮蔽手段と、前記電磁波遮蔽手段に密着して前記第１微小レンズに対応した第２微小レンズがアレイ状に配列された第２のレンズアレイと、が順次配列されてなり、前記電磁波遮蔽手段は、前記透過光が前記開口部を通過できるように位置決め配置されている。
【００１８】
なお、この照明装置において、ＰＳコンバイナ（Ｐ波Ｓ波合成素子）を電磁波遮蔽手段の直前もしくは直後に設置することにより、照明光が反射損失を受けることがなくなり、高い光利用効率を実現することができる。
【発明の効果】
【００１９】
本発明に係る照明装置においては、電磁波遮蔽手段を第２のレンズアレイに対して密着させて位置決めし一体的に形成することができるので、無電極放電ランプを点灯させるためのマイクロ波の漏洩を効果的に防止でき、製造が容易であり、また、装置構成の小型化が可能であるとともに、高い信頼性及び耐久性を実現することができる。
【００２０】
そして、この照明装置においては、第１のレンズアレイを透過した照明光の略々全てが、電磁波遮蔽手段において遮られることなく通過して、照明光として使用されるので、電磁波遮蔽手段が光路上に介在することによって光利用率が低下することがない。
【００２１】
すなわち、本発明は、光源となる無電極放電ランプを点灯させるためのマイクロ波の漏洩を効果的に遮断することができ、かつ、光利用効率が高く、製造が容易でありながら、優れた信頼性及び耐久性を確保することができる照明装置を提供することができるものである。
【００２２】
そして、本発明に係る照明装置を投射型の画像表示装置に適用すれば、優れた信頼性及び耐久性を有し、装置構成が小型でありながら、光利用効率が高く、高輝度の画像を表示することができる画像表示装置を構成することができる。
【発明を実施するための最良の形態】
【００２３】
以下、本発明を実施するための最良の形態について図面を参照して説明する。
【００２４】
〔第１の実施の形態〕
図１は、本発明の第１の実施の形態における照明装置の構成を概略的に示す平面図である。
【００２５】
この照明装置１は、図１に示すように、無電極放電ランプ２を有して構成されている。この無電極放電ランプ２は、２．４５ＧＨｚのマイクロ波によって放電発光する放電管２ａと、この放電管２ａを覆うようにして配設された凹面鏡２ｂとを有して構成されている。放電管２ａより発せられた光束は、凹面鏡２ｂによって反射されることにより、略々平行光束である照明光として、前方側に出射される。
【００２６】
なお、凹面鏡２ｂに反射された出射光を平行光束とすることは、凹面鏡２ｂを放物面鏡とし、この放物面鏡の焦点位置に放電管２ａを配置することによって可能である。また、凹面鏡２ｂを楕円鏡とし、この楕円鏡の第１焦点位置に放電管２ａを配置するとともに、この凹面鏡２ｂからの反射光をコリメータレンズを通して出射させるようにしても、平行光束である照明光を得ることができる。
【００２７】
無電極放電ランプ２より出射された照明光は、第１のレンズアレイ３に入射される。この第１のレンズアレイ３は、無電極放電ランプ２からの出射光束径に略々対応した大きさの透明な平板状に形成されており、無電極放電ランプ２側の主面部上に複数の矩形状の微小凸レンズ３ａがアレイ状に配列されて構成されている。なお、図１においては５個の微小凸レンズ３ａを示しているが、実際には、より多数の微小凸レンズ３ａがマトリクス状に形成されている。
【００２８】
この第１のレンズアレイ３に入射した照明光は、各微小凸レンズ３ａごとに分割され、ＰＳコンバイナ（Ｐ波Ｓ波合成板）８を経て、それぞれが集光される。ＰＳコンバイナ８は、第１のレンズアレイ３を経た光束のうちのＰ偏光成分及びＳ偏光成分のいずれか一方の偏光方向を、他方の偏光方向に備えるための素子である。
【００２９】
そして、これら各微小凸レンズ３ａごとに分割された光束の集光点がなす平面の位置には、第２のレンズアレイ４が配設されている。この第２のレンズアレイ４は、第１のレンズアレイ３と略々等しい大きさの透明な平板状に形成されており、第１のレンズアレイ３を経た光束の入射側の反対側の主面部上に複数の矩形状の微小凸レンズ４ａがアレイ状に配列されて構成されている。なお、図１においては５個の微小凸レンズ４ａを示しているが、実際には、より多数の微小凸レンズ４ａがマトリクス状に形成されている。
【００３０】
この第２のレンズアレイ４の各微小凸レンズ４ａは、第１のレンズアレイ３の各微小凸レンズ３ａごとに分割されて集光された光束がそれぞれに入射される位置となされて配置されている。
【００３１】
なお、無電極放電ランプ２及び第１のレンズアレイ３は、筐体７内に収納されており、第２のレンズアレイ４は、この筐体７の開口端を閉蓋する状態に、この筐体７に取付けられている。
【００３２】
第２のレンズアレイ４を経た照明光は、集光レンズ５に入射され、この集光レンズ５を経て、照明対象Ｐを照明する。この照明対象Ｐは、例えば、液晶表示デバイス等の空間光変調素子の表示面であり、所定の面積を有する矩形状の平面として形成されている。
【００３３】
この照明対象Ｐにおいては、第１のレンズアレイ３の各微小凸レンズ３ａごとに分割された光束のそれぞれが照明対象Ｐの全面を照明し、互いに重ねられる状態となる。すなわち、集光レンズ５は、第１のレンズアレイ３の各微小凸レンズ３ａの矩形状の像を、照明対象Ｐ上に重畳して結像させることとなる。
【００３４】
そして、第１のレンズアレイ３の各微小凸レンズ３ａごとに分割された光束の集光点がなす平面の位置、すなわち、第２のレンズアレイ４の入射面上には、マイクロ波遮蔽手段となるマイクロ波遮蔽膜６が配置されている。このマイクロ波遮蔽膜６は、第２のレンズアレイ４の入射面に密着された薄膜として形成されている。このマイクロ波遮蔽膜６は、導電性の良好な銅等の金属メッキ膜や、または、この金属メッキ膜上にさらに磁性金属膜を形成した複合膜により形成されている。この複合膜を構成する磁性金属膜としては、例えば、Ｃｏ−Ｎｂ−Ｚｒ（コバルト−ニオブ−ジルコニウム）アモルファス薄膜等を使用することができる。
【００３５】
このマイクロ波遮蔽膜６には、第１のレンズアレイ３から出射される各光束が通過するための所定の大きさの開口穴６ａが複数形成されている。これら開口穴６ａは、第１のレンズアレイ３から出射される各光束の位置及び数に対応して形成され、それぞれが第１のレンズアレイ３から出射される各光束の光束径よりも僅かに大きくなされている。このマイクロ波遮蔽膜６が配置される位置においては、第１のレンズアレイ３から出射された各光束は、集光されているので、光束径は小さくなっている。したがって、マイクロ波遮蔽膜６の開口穴６ａは、第１及び第２のレンズアレイ３，４の各微小凸レンズ３ａ，４ａに比較してかなり小さいものとなっている。
【００３６】
このマイクロ波遮蔽膜６は、第２のレンズアレイ４に対して一体的に構成され、第１のレンズアレイ３の各微小凸レンズ３ａを経た各光束が各開口穴６ａを通過する位置に位置決めされており、この開口穴６ａ以外の領域において、無電極放電ランプ２の放電管２ａから発せられるマイクロ波を遮蔽する。
【００３７】
なお、金属磁性膜がマイクロ波に対して優れた遮蔽効果を示すのは、透磁率虚部がこの周波数帯域で大きく、高い損失を示すためと考えられる。
【００３８】
さらに、この照明装置１においては、少なくとも無電極放電ランプ２、第１のレンズアレイ３及びマイクロ波遮蔽膜６を収納する筐体７は、導電性の良好な銅やアルミニウム等の金属から形成されている。そして、少なくともマイクロ波遮蔽膜６の一端は、筐体７に対して接地されている。
【００３９】
なお、図１においては、ＰＳコンバイナ８をマイクロ波遮蔽膜６の直前（無電極放電ランプ２側）に配置した構成を示しているが、ＰＳコンバイナ８は、第２のレンズアレイ４の直後（照明対象Ｐ側）に設けてもよい。このＰＣコンバイナは、この照明装置から出射される照明光が反射損失を受けることを防止し、高い光利用効率の実現を可能とする。
【００４０】
次に、本発明の第１の実施の形態の動作について説明する。
【００４１】
図２は、本発明の第１の実施の形態における照明装置の要部を概略的に示す斜視図である。
【００４２】
この照明装置においては、第１のレンズアレイ３の各微小凸レンズ３ａを透過した各光束は、図２に示すように、第２のレンズアレイ４の対応する微小凸レンズ４ａに向かって収束（収斂）する。このとき、各微小凸レンズ３ａを透過した収束光は、第２のレンズアレイ４の入射側の主面部上に配設されたマイクロ波遮蔽膜６の開口穴６ａを通過する。この開口穴６ａは、前述したように、マイクロ波遮蔽膜６の配設位置を通過する収束光の光束径よりも僅かに大きく形成されているため、第１のレンズアレイ３の各微小凸レンズ３ａからの収束光は、マイクロ波遮蔽膜６によって遮られることなく、第２のレンズアレイ４の各微小凸レンズ４ａに入射する。
【００４３】
なお、図２においては、分かりやすくするために第２のレンズアレイ４とマイクロ波遮蔽膜６を分離して示しているが、前述したように、マイクロ波遮蔽膜６は、第２のレンズアレイ４に対して一体的に形成されている。第２のレンズアレイ４とマイクロ波遮蔽膜６とが一体化されていることにより、照明光の照射によって温度上昇や温度分布が生じても、各微小凸レンズ４ａと開口穴６ａとの相対位置の変動が発生することはない。
【００４４】
第２のレンズアレイ４の各微小凸レンズ４ａから出射された照明光は、集光レンズ５により、照明対象Ｐ上に、各微小凸レンズ４ａに対応する各微小凸レンズ３ａの矩形状の像を結像させる。集光レンズ５は、前述したように、複数の微小凸レンズ３ａの像を、照明対象Ｐ上において重畳させて結像させるため、照明対象Ｐ上の照明輝度分布を均一にする。
【００４５】
前述のように構成された本発明の第１の実施の形態における照明装置においては、無電極放電ランプ２が導電性の良好な金属製の筐体７に納められており、また、照明光の出射側にはマイクロ波遮蔽膜６が設けられているため、無電極放電ランプ２を放電発光させるために使用されるマイクロ波は、筐体７中に閉じ込められ、外方側に漏洩する虞れがない。
【００４６】
また、マイクロ波遮蔽膜６は、第２のレンズアレイ４に対して密着して一体的に形成されているため、初期形成時の位置精度が温度上昇や温度分布の変動によって変動することがなく、優れた信頼性及び耐久性を備えている。
【００４７】
さらに、マイクロ波遮蔽膜６においては、開口穴６ａは、収束した照明光が通過できる必要最小限の大きさを有していればよいので、光束径の大きさに合わせて小さな開口穴として形成でき、マイクロ波の遮蔽効果を最大限に発揮することが可能である。また、第１のレンズアレイ３から出射される照明光は、収束光であるために略々全てがマイクロ波遮蔽膜６の開口穴６ａを通過することができ、光利用率の低下を招く虞れがない。
【００４８】
〔第２の実施の形態〕
次に、本発明の第２の実施の形態について説明する。
【００４９】
図３は、本発明の第２の実施の形態における照明装置の構成を概略的に示す平面図である。
【００５０】
この照明装置３０は、図３に示すように、前述した第１の実施の形態における照明装置と同様に、無電極放電ランプ２、第１のレンズアレイ３、ＰＳコンバイナ８、第２のレンズアレイ４、筐体７及び集光レンズ５を有して構成されている。
【００５１】
そして、この照明装置においては、マイクロ波遮蔽膜６は、第２のレンズアレイ４の照明光の出射側、すなわち、各微小凸レンズ４ａ上に配設されている。
【００５２】
この照明装置においても、マイクロ波遮蔽膜６は、第１のレンズアレイ３の各微小凸レンズ３ａによる照明光の集光位置に近い位置に配設されていることになる。したがって、このマイクロ波遮蔽膜６の位置において、第１のレンズアレイ３の各微小凸レンズ３ａからの収束光は、光束径が小さく絞り込まれている。
【００５３】
このマイクロ波遮蔽膜６においては、開口穴６ａは、収束した照明光が通過できる必要最小限の大きさを有していればよいので、光束径の大きさに合わせて小さな開口穴として形成でき、マイクロ波の遮蔽効果を最大限に発揮することが可能である。
【００５４】
また、第１のレンズアレイ３から出射される照明光は、収束光であるために略々全てがマイクロ波遮蔽膜６の開口穴６ａを通過することができ、光利用率の低下を招く虞れがない。
【００５５】
図３においては、ＰＳコンバイナ８を第２のレンズアレイ４６の直前（無電極放電ランプ２側）に配置した構成を示しているが、ＰＳコンバイナ８は、マイクロ波遮蔽膜６の直後（照明対象Ｐ側）に設けてもよい。この第２の実施の形態においても、ＰＣコンバイナは、この照明装置から出射される照明光が反射損失を受けることを防止し、高い光利用効率の実現を可能とする。
【００５６】
〔第３の実施の形態〕
次に、本発明の第３の実施の形態について説明する。
【００５７】
図４は、本発明の第３の実施の形態における照明装置の構成を概略的に示す平面図である。
【００５８】
この照明装置は、図４に示すように、前述の第１、または、第２の実施の形態における照明装置１，３０を画像表示装置４０に適用したものである。この画像表示装置４０は、照明装置１，３０と、この照明装置１，３０によって照明される照明対象Ｐとなる透過型液晶表示素子（空間光変調素子）４１と、この透過型液晶表示素子４１を透過した変調光を拡大して投影する投射レンズ４２とを有して構成されている。
【００５９】
照明装置１，３０は、前述の第１、または、第２の実施の形態における照明装置１，３０と同様に構成されている。
【００６０】
この画像表示装置において、透過型液晶表示素子４１の照明光入射側及び変調光出射側には、偏光板４３，４４が配設されている。これら偏光板４３，４４は、透過軸を互いに直交させる位置関係となされて配置されている。
【００６１】
この画像表示装置において、無電極放電ランプ２より発せられた照明光のうち、第１のレンズアレイ３の各微小凸レンズ３ａを透過した光束は、マイクロ波遮蔽膜６の開口穴６ａをほとんど損失なく通過し、第２のレンズアレイ４の対応する各微小凸レンズ４ａに入射する。
【００６２】
そして、第２のレンズアレイ４の各微小凸レンズ４ａを透過した照明光は、集光レンズ５により、照明対象である透過型液晶表示素子（空間光変調素子）４１上に、夫々微小凸レンズ３ａの矩形形状の像を結像する。ここで、微小凸レンズ３ａの矩形形状は、一般的には、透過型液晶表示素子４１の表示領域の形状に対する相似形に形成される。
【００６３】
この画像表示装置においては、透過型液晶表示素子４１の照明光入射側に偏光板４３が配設されているため、照明光のうち、ＰＳコンバイナ（図示せず）で一つの偏光にそろえた照明光は偏光板４３の透過軸と一致した波面を有する直線偏光成分のみが、偏光板４３を透過して、透過型液晶表示素子４１を照明する。
【００６４】
透過型液晶表示素子４１に入射した直線偏光の照明光は、この透過型液晶表示素子４１において、画像信号に対応した光変調を受けて透過し、出射する。そして、透過型液晶表示素子４１からの出射光のうち、照明光の波面に対して９０°回転した波面を有する変調光成分のみが、偏光板４４を透過し、投射レンズ４２に入射する。投射レンズ４２は、入射された変調光を図示しないスクリーン上に結像させ、画像を拡大して投射する。
【００６５】
この画像表示装置４０においては、本発明の第１、または、第２の実施の形態における照明装置１，３０の特徴を活かして、光利用効率が高く、高輝度の画像を表示でき、また、装置構成が小型であり、優れた信頼性及び耐久性を備えた画像表示装置として構成されることができる。
【００６６】
また、この画像表示装置は、無電極放電ランプ２を使用していることにより、長寿命であり、かつ、マイクロ波の漏洩が確実に防止された安全な画像表示装置として構成されることができる。
【００６７】
〔第４の実施の形態〕
次に、本発明の第４の実施の形態について説明する。
【００６８】
図５は、本発明の第４の実施の形態における照明装置の構成を概略的に示す平面図である。
【００６９】
この照明装置は、図５に示すように、前述の第１、または、第２の実施の形態における照明装置１，３０を画像表示装置５０に適用したものである。この画像表示装置５０は、照明装置１，３０と、この照明装置１，３０によって照明される照明対象Ｐとなる反射型液晶表示素子（空間光変調素子）５２と、この反射型液晶表示素子５２により反射された変調光を拡大して投影する投射レンズ５３とを有して構成されている。
【００７０】
この画像表示装置においては、照明装置１，３０から出射された照明光は、偏光ビームスプリッタ５１を経て、反射型液晶表示素子５２（空間光変調素子）上に、夫々第１のレンズアレイ３の各微小凸レンズ３ａの矩形形状の像を結像させる。
【００７１】
偏光ビームスプリッタ５１には、ＰＳコンバイナ８によって一つの偏光にそろえた照明光が入射され、この照明光は、この偏光ビームスプリッタ５１の偏光分離面５１ｂにおいて、この偏光分離面５１ｂに対するＰ偏光成分とＳ偏光成分とに分離される。すなわち、偏光分離面５１ｂに対するＰ偏光成分は、この偏光分離面５１ｂを不用光として透過し、偏光分離面５１ｂに対するＳ偏光成分は、この偏光分離面５１ｂによって反射される。
【００７２】
このようにして分離された偏光分離面５１ｂに対するＰ偏光成分及びＳ偏光成分のいずれか一方は、偏光ビームスプリッタ５１より出射されて、反射型液晶表示素子５２に入射し、この反射型液晶表示素子５２を照明する。
【００７３】
なお、図５においては、偏光分離面５１ｂにおいて反射されたＳ偏光成分が偏光ビームスプリッタ５１の透光面５１ａより出射されて反射型液晶表示素子５２を照明するように示しているが、偏光分離面５１ｂを透過したＰ偏光成分が反射型液晶表示素子５２を照明するように構成してもよい。
【００７４】
反射型液晶表示素子５２に入射した直線偏光の照明光は、この反射型液晶表示素子５２において、画像信号に対応した光変調を受けて反射され、出射する。そして、反射型液晶表示素子５２からの出射光のうち、照明光の波面に対して９０°回転した波面を有するＰ波変調光成分のみが、偏光分離面５１ｂを透過し、投射レンズ５３に入射する。他の光は不用光として反射し、高いコントラストの画像を実現する。投射レンズ５３は、入射された変調光を図示しないスクリーン上に結像させ、画像を拡大して投射する。
【００７５】
この画像表示装置５０においては、本発明の第１、または、第２の実施の形態における照明装置１，３０の特徴を活かして、光利用効率が高く、高輝度の画像を表示でき、また、装置構成が小型であり、優れた信頼性及び耐久性を備えた画像表示装置として構成されることができる。
【００７６】
また、この画像表示装置は、無電極放電ランプ２を使用していることにより、長寿命であり、かつ、マイクロ波の漏洩が確実に防止された安全な画像表示装置として構成されることができる。
【図面の簡単な説明】
【００７７】
【図１】本発明の第１の実施の形態における照明装置の構成を概略的に示す平面図である。
【図２】本発明の第１の実施の形態における照明装置の要部を概略的に示す斜視図である。
【図３】本発明の第２の実施の形態における照明装置の構成を概略的に示す平面図である。
【図４】本発明の第３の実施の形態における照明装置の構成を概略的に示す平面図である。
【図５】本発明の第４の実施の形態における照明装置の構成を概略的に示す平面図である。
【符号の説明】
【００７８】
１，３０  照明装置、２  無電極放電ランプ、３  第１のレンズアレイ、４  第２のレンズアレイ、６  電磁波遮蔽膜、６ａ  開口穴、７  筐体、８  ＰＳコンバイナ、４０，５０  画像表示装置、４１，５２  空間光変調素子、４２，５３  投射レンズ
【図１】
2005222837.tif 000003
【図２】
2005222837.tif 000004
【図３】
2005222837.tif 000005
【図４】
2005222837.tif 000006
【図５】
2005222837.tif 000007